(57)【要約】【課題】  遮蔽板を板金で製作することにより、コストダウンを図れ、更に、遮蔽板に止片を下向きに設けることによって、ディスクがこの止片に当接してローダーシャーシの後部側に入り込むことを阻止できるディスク装置を提供する。【解決手段】  ローダーシャーシ１における光ピックアップ３の移動域である後部の上面を覆うように遮蔽板４が取り付けられたディスク装置において、遮蔽板４が板金で形成され、遮蔽板４における幅方向略中央部に、ローダーシャーシ１に対して前後に移動されるトレイ２にセットされるディスクＤがローダーシャーシ１の後部側に入り込むことを阻止するための止片５が下向きに折曲形成され、更に、遮蔽板４における止片が形成された後に残る開口部４ａを覆う遮蔽用シール６が遮蔽板４の上面に貼着されている【選択図】  図１
2008310853.tif 000002
【特許請求の範囲】
【請求項１】
ローダーシャーシにおける光ピックアップの移動域である後部の上面を覆うように遮蔽板が取り付けられたディスク装置において、前記遮蔽板が板金で形成され、前記遮蔽板における幅方向略中央部に、ローダーシャーシに対して前後に移動されるトレイにセットされるディスクが前記ローダーシャーシの後部側に入り込むことを阻止するための止片が下向きに折曲形成され、更に、前記遮蔽板における前記止片が形成された後に残る開口部を覆う遮蔽用シールが前記遮蔽板の上面に貼着されていることを特徴とするディスク装置。
【請求項２】
前記止片は、前記遮蔽板の幅方向略中央部に一箇所設けられている請求項１に記載のディスク装置。
【請求項３】
前記止片は、前記遮蔽板の幅方向略中央部に左右２箇所設けられている請求項１に記載のディスク装置。
【請求項４】
前記止片は、前記ディスクの挿入側の反対側の下側が後部向きに略Ｕ字形に屈曲形成されている請求項１乃至３のいずれかに記載のディスク装置。
【請求項５】
前記遮蔽板の下側に位置されるトレイにおける前記遮蔽板の止片に対応する位置の前側近傍位置に断面円形状のボスが上向きに立設されており、このボスと前記遮蔽板の止片とで前記ディスクが前記ローダーシャーシの後部側に入り込むことを阻止するように構成されている請求項１乃至４のいずれかに記載のディスク装置。
【発明の詳細な説明】
【技術分野】
【０００１】
本発明は、ローダーシャーシにおける光ピックアップの移動域である後部の上面を覆うように遮蔽板が取り付けられたディスク装置に関するものである。
【背景技術】
【０００２】
一般に、ディスク装置は、ローダーシャーシにおける光ピックアップの移動域である後部の上面に光が漏れることを防ぐための合成樹脂製の遮蔽板が取り付けられている。ところが、ローダーシャーシに対して前後移動するトレイにセットされるべきディスクのセット位置がずれたときに、このディスクがローダーシャーシの後部側に入り込んでしまうことがあるという問題があった。
【０００３】
そこで、本発明者らは、図３に示すように、上記した合成樹脂製の遮蔽板１０１の幅方向略中央部の左右位置に下向きのリブ１０２、１０２を一体に形成し、トレイ１０３に対するディスクＤのセット位置がずれた場合にこれらのリブ１０２、１０２にディスクＤが当接することで、ローダーシャーシ１０４の後部側に入り込むことを阻止するようにすることを発案したが、この遮蔽板は合成樹脂で形成されているために、コスト高になるという問題があった。
【０００４】
第１の従来技術を図４に示す。この従来のディスク装置は、図４に示すように、ローダーシャーシ２０２の後部上面を覆う合成樹脂製の遮蔽板２１５が設けられると共に、遮蔽板２１５の下面両側縁で前後進ａ、ｂ方向に所定間隔をおいて４本の足部２１５Ａ〜２１５Ｄが一体突設され、その各脚部２１５Ａ〜２１５Ｄの先端にフック部２１５ａが一体形成され、前記ローダーシャーシ２０２の両側壁２０２ａの後部外周面に前記各脚部２１５Ａ〜２１５Ｄを挿入するための縦溝２１７に連通して前記各フック部２１５ａを係脱可能に係合させるための横溝２１８が形成されており、前記各脚部２１５Ａ〜２１５Ｄを各縦溝２１７に挿入して各フック部２１５ａを横溝２１８に係合させることにより、遮蔽板２１５をローダーシャーシ２０２の後部上に固定し、遮蔽板２１５の上面に一体と突設した係止片２１６Ａにリード線及びケーブルを係止するようにした。（例えば、特許文献１参照）。
ところが、これにおいては、遮蔽板２１５が合成樹脂製であるためにコスト高になると共に、トレイ２０３にセットされるディスクＤがずれてセットされた場合に、このディスクＤがローダーシャーシ２０２の後部側に入り込んでしまうことがあるという問題があった。
【０００５】
【特許文献１】特開２００５−３３２５３６号公報
【発明の開示】
【発明が解決しようとする課題】
【０００６】
本発明は、上記従来の問題に鑑みてなされたものであって、遮蔽板を板金で製作することにより、コストダウンを図れ、更に、遮蔽板に止片を下向きに設けることによって、ディスクがこの止片に当接してローダーシャーシの後部側に入り込むことを阻止できるディスク装置を提供することを目的としている。
【課題を解決するための手段】
【０００７】
本発明は、上記課題を解決するために提案されたものであって、請求項１に記載の発明は、ローダーシャーシにおける光ピックアップの移動域である後部の上面を覆うように遮蔽板が取り付けられたディスク装置において、前記遮蔽板が板金で形成され、前記遮蔽板における幅方向略中央部に、ローダーシャーシに対して前後に移動されるトレイにセットされるディスクが前記ローダーシャーシの後部側に入り込むことを阻止するための止片が下向きに折曲形成され、更に、前記遮蔽板における前記止片が形成された後に残る開口部を覆う遮蔽用シールが前記遮蔽板の上面に貼着されていることを特徴としている。
【０００８】
請求項２に記載の発明は、請求項１に記載の発明において、前記止片は、前記遮蔽板の幅方向略中央部に一箇所設けられている。
【０００９】
請求項３に記載の発明は、請求項１に記載の発明において、前記止片は、前記遮蔽板の幅方向略中央部に左右２箇所設けられている。
【００１０】
請求項４に記載の発明は、請求項１乃至３のいずれかに記載の発明において、前記止片は、前記ディスクの挿入側の反対側の下側が後部向きに略Ｕ字形に屈曲形成されている。
【００１１】
請求項５に記載の発明は、請求項１乃至４のいずれかに記載の発明において、前記遮蔽板の下側に位置されるトレイにおける前記遮蔽板の止片に対応する位置の前側近傍位置に断面円形状のボスが上向きに立設されており、このボスと前記遮蔽板の止片とで前記ディスクが前記ローダーシャーシの後部側に入り込むことを阻止するように構成されている。
【発明の効果】
【００１２】
請求項１に記載の発明によれば、遮蔽板が板金で形成されているから、コストダウンを図れ、更に、遮蔽板に下向きに設けた止片によって、ディスクがこの止片に当接してローダーシャーシの後部側に入り込むことを阻止することができる。また、止片が形成された後に残る開口部が遮蔽用シールによって塞がれるから、光ピックアップからの光が外部に漏れることを防ぐことができる。
【００１３】
請求項２に記載の発明によれば、止片が遮蔽板の幅方向略中央部に一箇所設けられているから、製作が簡単であり、より一層のコストダウンを図ることができる。
【００１４】
請求項３に記載の発明によれば、止片が遮蔽板の幅方向略中央部に左右２箇所設けられているから、ディスクがこれら左右２箇所の止片に当接してローダーシャーシの後部側に入り込むことを確実に阻止することができる。
【００１５】
請求項４に記載の発明によれば、止片は、ディスク挿入側の反対側の下側が後部向きに略Ｕ字屈曲形成されているから、ディスクがこの止片に当接したときに、ディスクに傷が付きにくい利点がある。
【００１６】
請求項５に記載の発明によれば、遮蔽板の下側に位置されるトレイにおける遮蔽板の止片に対応する位置に断面円形状のボスが上向きに立設されているから、このボスと遮蔽板の止片とでディスクがローダーシャーシの後部側に入り込むことを確実に阻止することができる。また、このボスが断面円形状に形成されているから、ディスクがこのボスに当接したときにディスクに傷が付きにくい利点がある。
【発明を実施するための最良の形態】
【００１７】
以下、本発明に係るディスク装置の実施の形態について、図を参照しつつ説明する。
図１は本発明の第１実施形態のディスク装置を示し、（ａ）はその平面図、（ｂ）はその要部の拡大縦断面図である。
この第１実施形態のディスク装置は、図１（ａ）に示すように、ローダーシャーシ１にトレイ２が出入り可能に配置されると共に、光ピックアップ３の移動域である後部の上面を覆う板金からなる遮蔽板４が取り付けられている。この遮蔽板４には、図１（ｂ）にも示すように、その幅方向略中央部に下向きに止片５が下向きに屈曲形成され、遮蔽板４における止片５が形成された後に残る開口部４ａを覆う遮蔽用シール６が遮蔽板４の上面に貼着されている。また、トレイ２における遮蔽板４の止片５に対応する位置の前側近傍位置に断面円形状のボス７が上向きに立設されている。止片５の下側は後部向きに略Ｕ字形に屈曲形成されている。そして、トレイ２にセットされるべきディスクＤがローダーシャーシ１の後部側に入り込むときに、ディスクＤの縁部が遮蔽板４の止片５とトレイ２のボス７に当接してローダーシャーシの後部側に入り込むことを阻止されるようになっている。尚、ボス７の上端と止片５の下端との間の寸法ｈは、ディスクＤの厚さ１．２ｍｍに対して０．５ｍｍ程度が好ましい。
【００１８】
従って、この第１実施形態によれば、遮蔽板４が板金で形成されているから、コストダウンを図れ、更に、遮蔽板４に下向きに設けた止片５によって、ディスクＤがこの止片５に当接してローダーシャーシ１の後部側に入り込むことを阻止することができる。また、止片５が形成された後に残る開口部４ａが遮蔽用シール６によって塞がれるから、光ピックアップ３からの光が外部に漏れることを防ぐことができる。更に、止片５が遮蔽板４の幅方向略中央部に一箇所設けられているから、製作が簡単であり、より一層のコストダウンを図ることができる。また、止片５は、ディスク挿入側の反対側の下側が後部向きに略Ｕ字屈曲形成されているから、ディスクがこの止片５に当接したときに、ディスクに傷が付きにくい利点がある。
【００１９】
更に、遮蔽板４の下側に位置されるトレイ２における遮蔽板４の止片５に対応する位置に断面円形状のボス７が上向きに立設されているから、このボス７と遮蔽板４の止片５とでディスクがローダーシャーシ１の後部側に入り込むことを確実に阻止することができる。また、このボス７が断面円形状に形成されているから、ディスクがこのボス７に当接したときにディスクに傷が付きにくい利点がある。
【００２０】
図２は第２実施形態のディスク装置を示し、（ａ）はその平面図、（ｂ）はその要部の拡大縦断面図である。尚、上記した第１実施形態と同一部材、同一箇所には、同一符号を付して、その説明を省略する。
この第２実施形態のディスク装置は、図２（ａ）に示すように、遮蔽板４に止片５、５が遮蔽板４の幅方向略中央部の左右２箇所に設けられており、これらの止片５、５が形成された後に残る開口部４ｂ、４ｃを覆う遮蔽用シール６Ａが遮蔽板４の上面に貼着されている。更に、トレイ２における遮蔽板４の左右２箇所の止片５、５に対応する位置の前側近傍位置に断面円形状のボス７、７が左右２箇所立設されている。そして、図２（ｂ）にも示すように、ディスクＤがローダーシャーシ１の後部側に入り込む際に、ディスクＤの縁部が左右２箇所の止片５、５と左右２箇所のボス７、７に当接してディスクＤがローダーシャーシ１の後部側に入り込むことが防止される。
【００２１】
従って、この第２実施形態によれば、止片５、５が遮蔽板４の幅方向略中央部に左右２箇所設けられると共に、ボス７、７がトレイ２に左右２箇所設けられているから、ディスクＤがこれら左右２箇所の止片５，５とボス７、７に当接してローダーシャーシ１の後部側に入り込むことを確実に阻止することができる。
【図面の簡単な説明】
【００２２】
【図１】本発明の第１実施形態のディスク装置を示し、（ａ）はその平面図、（ｂ）はその要部の拡大縦断面図である。
【図２】第２実施形態のディスク装置を示し、（ａ）はその平面図、（ｂ）はその要部の拡大縦断面図である。
【図３】本発明者らが先に発案したディスク装置を示し、（ａ）はその平面図、（ｂ）はその遮蔽板の正面図である。
【図４】従来のディスク装置の分解斜視図である。
【符号の説明】
【００２３】
Ｄ      ディスク
１      ローダーシャーシ
２      トレイ
３      光ピックアップ
４      遮蔽板
４ａ    開口部
４ｂ    開口部
４ｃ    開口部
５      止片
６      遮蔽用シール
６Ａ    遮蔽用シール
７      ボス
【図１】
2008310853.tif 000003
【図２】
2008310853.tif 000004
【図３】
2008310853.tif 000005
【図４】
2008310853.tif 000006